(57)【要約】  所定のサイトにユーザがアクセスするだけで、ユーザが今後支払うべき金額が修正されるようにする。売上明細情報記憶部（３４）は、ユーザのクレジットカードの利用による売上を示す売上明細情報を記憶する。ユーザ特定部（３８）は、ユーザ端末から受け付けるデータに基づいて、ユーザを特定する。支払金額修正部（４８）は、所定のサイトへのアクセス履歴を記憶するアクセス履歴記憶部を参照し、ユーザ特定部（３８）により特定されるユーザによる所定のサイトへのアクセス履歴がアクセス履歴記憶部に記憶されていると判定される場合に、売上明細情報におけるこのユーザが今後支払うべき金額を減額修正する。明細ページ生成部（４０）は、修正後の売上明細情報に基づいてユーザに対する請求予定金額が記載された売上明細ページを生成する。明細ページ送信部（４２）は、生成される売上明細ページを、ユーザ端末に送信する。
2012002485.tif 000002
【特許請求の範囲】
【請求項１】
ユーザのクレジットカードの利用による売上を示す売上明細情報を記憶する売上明細情報記憶手段と、
ユーザ端末から受け付けるデータに基づいて、ユーザを特定するユーザ特定手段と、
所定のサイトへのアクセス履歴を記憶するアクセス履歴記憶手段に前記ユーザ特定手段により特定されるユーザによる前記所定のサイトへのアクセス履歴が記憶されていると判定される場合に、前記売上明細情報における当該ユーザが今後支払うべき金額を修正する支払金額修正手段と、
前記支払金額修正手段による修正後の売上明細情報に基づいて前記ユーザに対する請求予定金額が記載された売上明細ページを生成する明細ページ生成手段と、
前記明細ページ生成手段により生成される売上明細ページを、前記ユーザ端末に送信する明細ページ送信手段と、
を含むことを特徴とする売上管理システム。
【請求項２】
前記支払金額修正手段は、前記アクセス履歴記憶手段に記憶されているアクセス履歴に前記ユーザ特定手段により特定されるユーザによる前記所定のサイトへのアクセス履歴が記憶されていると判定される場合において、前記ユーザ端末から支払金額の修正要求を受け付けた際に、前記売上明細情報における当該ユーザが今後支払うべき金額を修正する、
ことを特徴とする請求項１に記載の売上管理システム。
【請求項３】
前記支払金額修正手段は、前記ユーザ特定手段により特定されるユーザが、当該ユーザがクレジットカードを利用した後に前記所定のサイトにアクセスしたと判定される際に、前記売上明細情報における当該ユーザが今後支払うべき金額を修正する、
ことを特徴とする請求項１又は２に記載の売上管理システム。
【請求項４】
前記支払金額修正手段は、前記ユーザ特定手段により特定されるユーザが、当該ユーザがクレジットカードを利用する前に前記所定のサイトにアクセスしたと判定される際に、前記売上明細情報における当該ユーザが今後支払うべき金額を修正する、
ことを特徴とする請求項１から３のいずれか一項に記載の売上管理システム。
【請求項５】
前記支払金額修正手段は、前記ユーザが前記所定のサイトにアクセスした時期に基づいて決定される金額だけ前記売上明細情報における当該ユーザが今後支払うべき金額を修正する、
ことを特徴とする請求項３又は４に記載の売上管理システム。
【請求項６】
今後支払うべき金額の修正額は、前記ユーザが前記所定のサイトにアクセスした時期が遅くなるほど小さくなる、
ことを特徴とする請求項５に記載の売上管理システム。
【請求項７】
前記所定のサイトが値引率、又は、値引額に関連付けられており、
前記支払金額修正手段は、前記ユーザ特定手段により特定されるユーザによるアクセス履歴が記憶されていると判定される所定のサイトに関連付けられている値引率、又は、値引額に応じて、当該ユーザが今後支払うべき金額を減額修正する、
ことを特徴とする請求項１から６のいずれか一項に記載の売上管理システム。
【請求項８】
ユーザのクレジットカードの利用による売上を示す売上明細情報を売上明細情報記憶手段に記憶させるステップと、
ユーザ端末から受け付けるデータに基づいて、ユーザを特定するユーザ特定ステップと、
所定のサイトへのアクセス履歴を記憶するアクセス履歴記憶手段に前記ユーザ特定ステップにより特定されるユーザによる前記所定のサイトへのアクセス履歴が記憶されていると判定される場合に、前記売上明細情報における当該ユーザが今後支払うべき金額を修正する支払金額修正ステップと、
前記支払金額修正ステップによる修正後の売上明細情報に基づいて前記ユーザに対する請求予定金額が記載された売上明細ページを生成する明細ページ生成ステップと、
前記売上明細ページ生成ステップにより生成される売上明細ページを、前記ユーザ端末に送信する明細ページ送信ステップと、
を含むことを特徴とする売上管理方法。
【請求項９】
ユーザのクレジットカードの利用による売上を示す売上明細情報を売上明細情報記憶手段に記憶させる手段、
ユーザ端末から受け付けるデータに基づいて、ユーザを特定するユーザ特定手段、
所定のサイトへのアクセス履歴を記憶するアクセス履歴記憶手段に前記ユーザ特定手段により特定されるユーザによる前記所定のサイトへのアクセス履歴が記憶されていると判定される場合に、前記売上明細情報における当該ユーザが今後支払うべき金額を修正する支払金額修正手段、
前記支払金額修正手段による修正後の売上明細情報に基づいて前記ユーザに対する請求予定金額が記載された売上明細ページを生成する明細ページ生成手段、
前記明細ページ生成手段により生成される売上明細ページを、前記ユーザ端末に送信する明細ページ送信手段、
としてコンピュータを機能させることを特徴とするプログラム。
【請求項１０】
ユーザのクレジットカードの利用による売上を示す売上明細情報を売上明細情報記憶手段に記憶させる手段、
ユーザ端末から受け付けるデータに基づいて、ユーザを特定するユーザ特定手段、
所定のサイトへのアクセス履歴を記憶するアクセス履歴記憶手段に前記ユーザ特定手段により特定されるユーザによる前記所定のサイトへのアクセス履歴が記憶されていると判定される場合に、前記売上明細情報における当該ユーザが今後支払うべき金額を修正する支払金額修正手段、
前記支払金額修正手段による修正後の売上明細情報に基づいて前記ユーザに対する請求予定金額が記載された売上明細ページを生成する明細ページ生成手段、
前記明細ページ生成手段により生成される売上明細ページを、前記ユーザ端末に送信する明細ページ送信手段、
としてコンピュータを機能させることを特徴とするプログラムを記録した記録媒体。
【発明の詳細な説明】
【技術分野】
【０００１】
本発明は、売上管理システム、売上管理方法、プログラム及び記録媒体に関する。
【背景技術】
【０００２】
近年、インターネットを用いて飲食店等の実在店舗の情報を提供する店舗紹介ビジネスが展開されてきている。店舗紹介ビジネスにおいて用いられる店舗紹介システムには、店舗で利用可能なクーポンが掲載されたウェブページをユーザに提供するものが存在する。このような店舗紹介システムを利用するユーザが、クーポンが掲載されたウェブページを印刷して、店舗に持参すると、値引サービスを受けることができるようになっている。【０００３】
また、近年、インターネットを用いた通信販売ビジネスが展開されてきている。通信販売ビジネスに用いられる通信販売システムには、ユーザから商品等の購入時に予めユーザに電子メール等で通知されているクーポンコードを受け付けた場合に、購入金額の値引を行うものが存在する。【０００４】
また、インターネットを用いた通信販売ビジネスにおけるクレジットカード決済を支援するシステムも存在する。特許文献１には、クレジットカードによる購入代金が所定金額を超えた場合、一括払いの支払い方法が選択された場合等に、購入代金に応じた割引金額が登録される技術が開示されている。
【先行技術文献】
【特許文献】
【０００５】
【特許文献１】特開平１１−１４９５０３号公報
【発明の概要】
【発明が解決しようとする課題】
【０００６】
しかしながら、従来技術では、クーポンが掲載されたウェブページが配置されているサイト等の所定のサイトにユーザがアクセスしただけでは、ユーザが今後支払うべき金額が減額されるなどといった、ユーザが今後支払うべき金額の修正が行われることはなかった。【０００７】
本発明は、上記課題に鑑みてなされたものであって、所定のサイトにユーザがアクセスするだけで、ユーザが今後支払うべき金額が修正されるようにすることを目的とする。
【課題を解決するための手段】
【０００８】
上記課題を解決するために、本発明に係る売上管理システムは、ユーザのクレジットカードの利用による売上を示す売上明細情報を記憶する売上明細情報記憶手段と、ユーザ端末から受け付けるデータに基づいて、ユーザを特定するユーザ特定手段と、所定のサイトへのアクセス履歴を記憶するアクセス履歴記憶手段に前記ユーザ特定手段により特定されるユーザによる前記所定のサイトへのアクセス履歴が記憶されていると判定される場合に、前記売上明細情報における当該ユーザが今後支払うべき金額を修正する支払金額修正手段と、前記支払金額修正手段による修正後の売上明細情報に基づいて前記ユーザに対する請求予定金額が記載された売上明細ページを生成する明細ページ生成手段と、前記明細ページ生成手段により生成される売上明細ページを、前記ユーザ端末に送信する明細ページ送信手段と、を含むことを特徴とする。【０００９】
また、本発明に係る売上管理方法は、ユーザのクレジットカードの利用による売上を示す売上明細情報を売上明細情報記憶手段に記憶させるステップと、ユーザ端末から受け付けるデータに基づいて、ユーザを特定するユーザ特定ステップと、所定のサイトへのアクセス履歴を記憶するアクセス履歴記憶手段に前記ユーザ特定ステップにより特定されるユーザによる前記所定のサイトへのアクセス履歴が記憶されていると判定される場合に、前記売上明細情報における当該ユーザが今後支払うべき金額を修正する支払金額修正ステップと、前記支払金額修正ステップによる修正後の売上明細情報に基づいて前記ユーザに対する請求予定金額が記載された売上明細ページを生成する明細ページ生成ステップと、前記売上明細ページ生成ステップにより生成される売上明細ページを、前記ユーザ端末に送信する明細ページ送信ステップと、を含むことを特徴とする。【００１０】
また、本発明に係るプログラムは、ユーザのクレジットカードの利用による売上を示す売上明細情報を売上明細情報記憶手段に記憶させる手段、ユーザ端末から受け付けるデータに基づいて、ユーザを特定するユーザ特定手段、所定のサイトへのアクセス履歴を記憶するアクセス履歴記憶手段に前記ユーザ特定手段により特定されるユーザによる前記所定のサイトへのアクセス履歴が記憶されていると判定される場合に、前記売上明細情報における当該ユーザが今後支払うべき金額を修正する支払金額修正手段、前記支払金額修正手段による修正後の売上明細情報に基づいて前記ユーザに対する請求予定金額が記載された売上明細ページを生成する明細ページ生成手段、前記明細ページ生成手段により生成される売上明細ページを、前記ユーザ端末に送信する明細ページ送信手段、としてコンピュータを機能させることを特徴とする。【００１１】
また、本発明に係る記録媒体は、ユーザのクレジットカードの利用による売上を示す売上明細情報を売上明細情報記憶手段に記憶させる手段、ユーザ端末から受け付けるデータに基づいて、ユーザを特定するユーザ特定手段、所定のサイトへのアクセス履歴を記憶するアクセス履歴記憶手段に前記ユーザ特定手段により特定されるユーザによる前記所定のサイトへのアクセス履歴が記憶されていると判定される場合に、前記売上明細情報における当該ユーザが今後支払うべき金額を修正する支払金額修正手段、前記支払金額修正手段による修正後の売上明細情報に基づいて前記ユーザに対する請求予定金額が記載された売上明細ページを生成する明細ページ生成手段、前記明細ページ生成手段により生成される売上明細ページを、前記ユーザ端末に送信する明細ページ送信手段、としてコンピュータを機能させることを特徴とするプログラムを記録したものである。【００１２】
本発明の一態様では、前記支払金額修正手段は、前記アクセス履歴記憶手段に記憶されているアクセス履歴に前記ユーザ特定手段により特定されるユーザによる前記所定のサイトへのアクセス履歴が記憶されていると判定される場合において、前記ユーザ端末から支払金額の修正要求を受け付けた際に、前記売上明細情報における当該ユーザが今後支払うべき金額を修正することを特徴とする。【００１３】
また、本発明の一態様では、前記支払金額修正手段は、前記ユーザ特定手段により特定されるユーザが、当該ユーザがクレジットカードを利用した後に前記所定のサイトにアクセスしたと判定される際に、前記売上明細情報における当該ユーザが今後支払うべき金額を修正することを特徴とする。【００１４】
また、本発明の一態様では、前記支払金額修正手段は、前記ユーザ特定手段により特定されるユーザが、当該ユーザがクレジットカードを利用する前に前記所定のサイトにアクセスしたと判定される際に、前記売上明細情報における当該ユーザが今後支払うべき金額を修正することを特徴とする。【００１５】
また、本発明の一態様では、前記支払金額修正手段は、前記ユーザが前記所定のサイトにアクセスした時期に基づいて決定される金額だけ前記売上明細情報における当該ユーザが今後支払うべき金額を修正することを特徴とする。【００１６】
また、本発明の一態様では、今後支払うべき金額の修正額は、前記ユーザが前記所定のサイトにアクセスした時期が遅くなるほど小さくなることを特徴とする。【００１７】
また、本発明の一態様では、前記所定のサイトが値引率、又は、値引額に関連付けられており、前記支払金額修正手段は、前記ユーザ特定手段により特定されるユーザによるアクセス履歴が記憶されていると判定される所定のサイトに関連付けられている値引率、又は、値引額に応じて、当該ユーザが今後支払うべき金額を減額修正することを特徴とする。
【発明の効果】
【００１８】
本発明では、クレジットカードを利用したユーザが所定のサイトへアクセスしたと判定される場合に、支払金額が修正されるので、所定のサイトにユーザがアクセスするだけで、ユーザが今後支払うべき金額が修正されることとなる。
【図面の簡単な説明】
【００１９】
【図１】本発明の一実施形態に係るコンピュータネットワークの全体構成図である。
【図２】クーポンコード表示ページの一例を示す図である。
【図３】アクセス履歴情報の一例を示す図である。
【図４】本実施形態に係る売上管理システムで実現される機能の一例を示す機能ブロック図である。
【図５】ユーザ管理データの一例を示す図である。
【図６】売上明細情報の一例を示す図である。
【図７】本実施形態に係る売上管理システムで行われる売上明細情報修正処理の流れの一例を示すフロー図である。
【図８】売上明細ページの一例を示す図である。
【図９】クーポンコード入力ページの一例を示す図である。
【図１０】修正後の売上明細情報の一例を示す図である。
【図１１】修正後の売上明細ページの一例を示す図である。
【発明を実施するための形態】
【００２０】
以下、本発明の一実施形態について図面に基づき詳細に説明する。
【００２１】
図１は、本発明の一実施形態に係るコンピュータネットワークの全体構成図である。同図に示すように、インターネットなどのコンピュータネットワーク１８には、いずれもコンピュータを中心に構成された売上管理システム１０、店舗紹介システム１２、店舗端末１４（１４−１〜１４−ｍ）、ユーザ端末１６（１６−１〜１６−ｎ）、が接続されている。そして、売上管理システム１０、店舗紹介システム１２、店舗端末１４、ユーザ端末１６、は互いに通信可能になっている。
【００２２】
売上管理システム１０は、例えば、クレジットカードを利用するユーザの利用履歴を管理するウェブアプリケーションサーバ等のコンピュータシステムである。店舗紹介システム１２は、例えば、ユーザに対して、クレジットカードが利用可能な店舗に関する情報を提供するウェブアプリケーションサーバ等のコンピュータシステムである。本実施形態に係る店舗紹介システム１２では、ユーザに対して、クレジットカードでの支払金額の値引サービスを受けることができるクーポンを示す情報の提示が行われる。
【００２３】
売上管理システム１０、店舗紹介システム１２は、それぞれ、例えば、自装置にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、を含んで構成されている。これらの要素は、バスを介して接続される。売上管理システム１０、及び、店舗紹介システム１２の記憶部には、自装置の制御部によって実行されるプログラムが記憶される。また、売上管理システム１０、及び、店舗紹介システム１２の記憶部は、自装置のワークメモリとしても動作する。
【００２４】
店舗端末１４は、例えば、ユーザがクレジットカードを利用する飲食店等の店舗に配置されているコンピュータであり、ユーザ端末１６は、売上管理システム１０のユーザが利用するコンピュータである。店舗端末１４及びユーザ端末１６は、例えば、ＣＰＵ等の制御装置、ＲＯＭやＲＡＭ等の記憶素子やハードディスクドライブ等の記憶装置、ディスプレイ等の出力装置、マウスやキーボード等の入力装置、ネットワークボード等の通信装置を備えた公知のパーソナルコンピュータにより構成されている。また、本実施形態に係るユーザ端末１６は、ウェブブラウザ及び電子メールクライアントが予めインストールされており、これらのアプリケーションプログラムが実行される。ユーザ端末１６は、ウェブブラウザを通じて売上管理システム１０や店舗紹介システム１２が提供する各種サービスを受け、また電子メールクライアントを通じて売上管理システム１０や店舗紹介システム１２から送信される電子メールを受信する。
【００２５】
本実施形態では、店舗端末１４は、例えば、店舗を利用したユーザのクレジットカードの内容を読み取るＣＡＴ端末等のクレジットカード読み取り装置も含んでいる。
【００２６】
本実施形態では、ユーザ端末１６が、ウェブブラウザを通じて売上管理システム１０や店舗紹介システム１２にアクセスし、ユーザＩＤ及びパスワードを入力してから、その後に所定のＵＲＬにアクセスすると、ユーザ端末１６のディスプレイに所定のＵＲＬに対応する画面が表示される。なお、ユーザＩＤ及びパスワードを入力した後は、売上管理システム１０や店舗紹介システム１２は、例えば、クッキーを参照することによりユーザ端末１６を利用するユーザのユーザＩＤを特定することができるようになっている。
【００２７】
店舗端末１４は、店舗端末１４が備えられた店舗でのユーザのクレジットカードの利用履歴（売上履歴）を示す売上データを売上管理システム１０に送信する。そして、売上管理システム１０は、店舗端末１４から売上データを受信する。店舗端末１４は、例えば、店舗端末１４が配置されている店舗でユーザによりクレジットカードによる代金の支払いが行われた際に、その代金に対応する売上データを売上管理システム１０に送信するようにしてもよい。また、店舗端末１４は、例えば、所定時間毎に、店舗端末１４が配置されている店舗でそれまでに発生した売上を示す売上データを売上管理システム１０に送信するようにしてもよい。
【００２８】
店舗紹介システム１２は、ユーザ端末１６からの要求に応じて、店舗を紹介するウェブページを示すデータをユーザ端末１６に送信する。そして、ユーザ端末１６は、このページをディスプレイに表示出力する。店舗紹介システム１２は、例えば、ユーザ端末１６からの要求に応じて、図２に示すクーポンコード表示ページ２０を示すデータをユーザ端末１６に送信する。そして、ユーザ端末１６は、このクーポンコード表示ページ２０をディスプレイに表示出力する。クーポンコード表示ページ２０は、例えば、所定の店舗（ショップＣ）での商品の購入やサービスの利用による値引率又は値引額（図２の例では、値引率１０％）、及び、店舗に対応する値引クーポンの識別記号であるクーポンコードを含んでいる。ユーザは、このクーポンコードを用いてクレジットカードの利用金額の値引サービスを受けることができる。
【００２９】
本実施形態に係る店舗紹介システム１２の記憶部は、店舗紹介システム１２のサイトへのアクセス履歴（例えば、ウェブページのアクセス履歴）を示すアクセス履歴情報２２（図３参照）を記憶するアクセス履歴記憶部として機能する。アクセス履歴情報２２は、例えば、ウェブページにアクセスしたユーザの識別子であるアクセスユーザＩＤ、ウェブページにアクセスされた日時を示すアクセス日時データ、アクセスされたＵＲＬを示すアクセスＵＲＬデータ、を含んでいる。
【００３０】
ここで、本実施形態に係る売上管理システム１０で実現される機能について説明する。図４は、本実施形態に係る売上管理システム１０で実現される機能の一例を示す機能ブロック図である。
【００３１】
図４に例示するように、売上管理システム１０は、ユーザ管理データ記憶部３０、売上明細情報生成部３２、売上明細情報記憶部３４、アクセス履歴確認部３６、ユーザ特定部３８、明細ページ生成部４０、明細ページ送信部４２、クーポンコード入力ページ生成部４４、クーポンコード入力ページ送信部４６、支払金額修正部４８、を含んで構成される。ユーザ管理データ記憶部３０、売上明細情報記憶部３４は、売上管理システム１０の記憶部を主として実現される。その他の要素は、売上管理システム１０の制御部を主として実現される。
【００３２】
これらの要素は、コンピュータである売上管理システム１０にインストールされたプログラムを、売上管理システム１０の制御部で実行することにより実現されている。なお、このプログラムは、例えば、ＣＤ−ＲＯＭ、ＤＶＤ−ＲＯＭなどのコンピュータ読み取り可能な情報記録媒体を介して、あるいは、インターネットなどの通信ネットワークを介して売上管理システム１０に供給される。
【００３３】
本実施形態に係る売上管理システム１０では、予め、クレジットカードを利用するユーザのアカウント登録処理が終了している。そして、ユーザ管理データ記憶部３０に、図５に例示するユーザ管理データ５０が記憶されている。ユーザ管理データ５０は、例えば、ユーザの識別子であるユーザＩＤ、ユーザのクレジットカードの識別子であるカードＩＤ、ユーザの氏名を示すユーザ名データ、ユーザのクレジットカードの有効期限を示す有効期限データ、などを含んでいる。
【００３４】
図４において、売上明細情報生成部３２は、本実施形態では、例えば、店舗端末１４から送信される売上データを受信して、受信した売上データに基づいて、図６に例示する売上明細情報５２を生成する。そして、売上明細情報生成部３２は、生成した売上明細情報５２を、売上明細情報記憶部３４に出力する。売上明細情報５２は、例えば、売上明細の識別子である売上明細ＩＤ、売上の発生日を示す発生日データ、売上が発生した店舗の名称を示す店舗名データ、クレジットカードを利用したユーザのユーザＩＤ、クレジットカードの利用金額（店舗での売上金額に対応する）を示す金額データ、クレジットカードによる売上が確定しているか否かを示す確定済みフラグ、クレジットカードによる売上が決済済みであるか否かを示す決済済みフラグ、クレジットカードの利用金額に対するクーポンによる値引率又は値引額を示す値引データ、クーポンが適用されたか否かを示すクーポン適用済フラグ、クーポンに基づき発生した明細であるか否かを示すクーポンフラグ、などを含んでいる。
【００３５】
本実施形態に係る売上管理システム１０では、売上が発生した時点で、その売上金額は「仮確定状態」として扱われる。そして、売上明細情報生成部３２は、対応する売上明細情報５２の確定済みフラグ、決済済みフラグの値として０を設定する。その後、所定の確定期日が到来した売上は「確定状態」として取り扱われることとなり、売上明細情報生成部３２は、対応する売上明細情報５２の確定済みフラグの値を１に更新する。
【００３６】
その後、所定の引き落とし期日が到来した際に、売上管理システム１０は、確定済みの売上金額のうち、該当月に支払うべき金額を、予め売上管理システム１０に登録されている引き落とし口座から引き落とす処理を実行し、その売上は「決済済み状態」として取り扱われることとなる。その際、売上明細情報生成部３２は、対応する売上明細情報５２の決済済みフラグの値を１に更新する。
【００３７】
図４において、アクセス履歴確認部３６は、本実施形態では、例えば、所定の時間間隔（例えば、日次のバッチ処理）で、店舗紹介システム１２のアクセス履歴記憶部に記憶されているアクセス履歴情報２２を参照する。アクセス履歴確認部３６は、具体的には、例えば、クレジットカードを利用したユーザによる、売上明細情報５２に含まれる発生日データが示す日時（売上発生日時）以後に、売上明細情報５２に含まれる店舗名データに対応する店舗（売上発生店舗）に対応するクーポンコード表示ページ２０へのアクセス履歴情報２２が店舗紹介システム１２のアクセス履歴記憶部に記憶されているか否かの問い合わせリクエストを、店舗紹介システム１２に送信する。そして、店舗紹介システム１２は、問い合わせリクエストに応じて、上述のことが確認された場合には、アクセス履歴情報２２に対応するクーポンコード表示ページ２０に含まれる値引率又は値引額（クーポンコード表示ページ２０に対応する値引率又は値引額）の値を、売上管理システム１０に送信する。そして、売上管理システム１０のアクセス履歴確認部３６は、この値を受信して、この値を、対応する売上明細情報５２の値引データの値に設定する。
【００３８】
このように、アクセス履歴確認部３６は、クレジットカードを利用したユーザが売上発生日時以後に売上発生店舗に対応するクーポンコード表示ページ２０を閲覧したことが確認された場合に、クーポンコード表示ページ２０に対応する値引率又は値引額の値を売上明細情報５２に含まれる値引データの値として設定する。
【００３９】
ここで、本実施形態に係る売上管理システム１０で行われる、売上明細情報修正処理の流れの一例を、図７に示すフロー図を参照しながら説明する。本処理例では、予め、クレジットカードを利用したユーザであるユーザＡが、売上発生日時以後に、売上発生店舗であるショップＣのクーポンコード表示ページ２０（図２）を閲覧したことが確認されており、ショップＣでの売上に対応する売上明細情報５２に含まれる値引データの値（例えば、１０％）が設定されていることとする。
【００４０】
まず、ユーザ特定部３８が、ユーザＡのユーザ端末１６から、売上明細ページ５４（図８参照）の出力要求を受け付ける（Ｓ１０１）。このとき、ユーザ特定部３８は、ユーザＡのユーザ端末１６から受け付けるデータ（例えば、クッキーファイルに記録されたセッションＩＤ）に基づいて、出力要求を行ったユーザをユーザＡと特定する。なお、ユーザ特定部３８は、必要に応じて、ユーザ端末１６にログインページ（図示せず）を送信し、当該ログインページを介してユーザ端末１６からユーザＩＤとパスワードの組を受信することにより、ユーザＡを特定することも可能である。
【００４１】
そして、明細ページ生成部４０は、ユーザＡの売上明細情報５２に基づいて、図８に例示する売上明細ページ５４を生成する（Ｓ１０２）。売上明細ページ５４には、例えば、カードＩＤ、当月の請求金額（請求予定金額）、支払日、請求確定日、売上明細、が一覧として月ごとに示される。図８に例示する売上明細ページ５４では、最新月であり、未確定の売上明細である７月の売上明細が示されている。
【００４２】
明細ページ生成部４０は、例えば、ユーザＡの６月の売上明細情報５２に基づいて、７月の請求予定金額を計算して、７月の請求予定金額を売上明細ページ５４内に配置する。また、明細ページ生成部４０は、例えば、値引データの値が設定されている（例えば、値引データの値が０ではない）売上明細情報５２については、その売上明細に対応する位置に、クーポン適用ボタン５６を配置する。例えば、明細ページ生成部４０は、売上明細ページ５４内の、２０１０年６月１５日付けの、ショップＣでの売上明細が記載される行に、クーポン適用ボタン５６を配置する。
【００４３】
そして、明細ページ送信部４２が、売上明細ページ５４を示すデータをユーザＡのユーザ端末１６に送信する（Ｓ１０３）。すると、ユーザＡのユーザ端末１６は、このデータを受信して、売上明細ページ５４を、ブラウザを介してディスプレイに表示出力する。
【００４４】
そして、ユーザＡが、売上明細ページ５４のクーポン適用ボタン５６をクリックすると、ユーザＡのユーザ端末１６は、対応する売上明細に対するクーポン適用要求を売上管理システム１０に送信する。そして、売上管理システム１０のユーザ特定部３８が、このクーポン適用要求を受け付ける（Ｓ１０４）。
【００４５】
そして、クーポンコード入力ページ生成部４４が、図９に例示するクーポンコード入力ページ５８を生成する（Ｓ１０５）。クーポンコード入力ページ５８には、例えば、クーポンの適用を促す情報、値引前の請求予定金額、値引後の請求予定金額、クーポンコード入力フォーム、適用ボタン、キャンセルボタン、が配置されている。
【００４６】
クーポンコード入力ページ生成部４４は、Ｓ１０５に示す処理において、例えば、売上明細情報５２に基づいて、値引額（例えば、３００００円×１０％＝３０００円）を特定する。そして、クーポンコード入力ページ生成部４４は、クーポンコード入力ページ５８内に、値引前の請求予定金額、及び、値引前の請求予定金額から値引額だけ減額した値引後の請求予定金額を配置する。
【００４７】
そして、クーポンコード入力ページ送信部４６が、クーポンコード入力ページ５８を示すデータをユーザＡのユーザ端末１６に送信する（Ｓ１０６）。すると、ユーザＡのユーザ端末１６は、このデータを受信して、クーポンコード入力ページ５８を、ブラウザを介してディスプレイに表示出力する。
【００４８】
そして、ユーザＡが、予めアクセスしていたクーポンコード表示ページ２０（図２）に表示されているクーポンコードを、クーポンコード入力ページ５８に入力した上で、適用ボタンをクリックすると、ユーザＡのユーザ端末１６は、売上管理システム１０にクーポンコードを送信する。そして、売上管理システム１０の支払金額修正部４８は、このクーポンコードを受け付ける（Ｓ１０７）。
【００４９】
そして、支払金額修正部４８は、このクーポンコードが正しいか否かを確認する（Ｓ１０８）。支払金額修正部４８は、例えば、クーポンコードに関連付けられた、クーポンコードの正否確認を店舗紹介システム１２に送信する。そして、店舗紹介システム１２は、このクーポンコードが、クーポンコード表示ページ２０に表示されたクーポンコードであるか否かを確認し、クーポンコードが正しいか否かを示すデータを売上管理システム１０に送信する。そして、売上管理システム１０の支払金額修正部４８は、このデータを受け付けて、受け付けたデータに基づいて、クーポンコードが正しいか否かを確認する。
【００５０】
正しくない場合は（Ｓ１０８：Ｎ）、売上管理システム１０は、Ｓ１０６に示す処理以降の処理を再度実行する。
【００５１】
正しい場合は（Ｓ１０８：Ｙ）、支払金額修正部４８は、売上明細情報５２を修正する（Ｓ１０９）。図１０に、修正後の売上明細情報５２の一例を示す。支払金額修正部４８は、具体的には、例えば、クーポンを適用した売上明細情報５２に含まれるクーポン適用済フラグの値に１を設定するとともに、値引額（−３０００円）に対応する新規のレコードを生成する。なお、支払金額修正部４８は、この新規のレコードについては、クーポン適用に基づいて生成されたレコードであることを示すため、クーポンフラグの値に１を設定する。このようにして、支払金額修正部４８は、売上明細情報５２におけるユーザＡが今後支払うべき金額を減額修正する。
【００５２】
そして、明細ページ生成部４０は、ユーザＡの修正後の売上明細情報５２に基づいて、図１１に例示する修正後の売上明細ページ５４を生成する（Ｓ１１０）。明細ページ生成部４０は、例えば、６月のユーザＡの売上明細情報５２に基づいて、７月の請求予定金額（値引後の請求予定金額）を再計算して、７月の請求予定金額を売上明細ページ５４内に配置する。また、明細ページ生成部４０は、例えば、クーポン適用済フラグの値が１であるレコードに対応する位置に、クーポン適用済であることを示す記載を配置する。また、明細ページ生成部４０は、例えば、クーポン適用に基づき生成されたレコード（すなわち、クーポンフラグの値が１であるレコード）に対応する位置には、クーポンに基づく情報であることを示す記載を配置する。
【００５３】
そして、明細ページ送信部４２が、修正後の売上明細ページ５４を示すデータをユーザＡのユーザ端末１６に送信する（Ｓ１１１）。すると、ユーザＡのユーザ端末１６は、このデータを受信して、売上明細ページ５４を、ブラウザを介してディスプレイに表示出力して、本処理例に示す処理を終了する。
【００５４】
なお、上述の処理例において、Ｓ１０８に示す処理において、クーポンコードが正しいことが確認された際に（Ｓ１０８：Ｙ）、支払金額修正部４８が、ＯＫボタンが含まれる、クーポン適用確認画面（図示せず）を示すデータをユーザＡのユーザ端末１６に送信するようにしてもよい。そして、ユーザＡのユーザ端末１６がクーポン適用確認画面をディスプレイに表示出力するようにしてもよい。そして、ユーザＡがクーポン適用確認画面のＯＫボタンをクリックすると、ユーザＡのユーザ端末１６が売上管理システム１０にクーポンの適用の確認がされた旨を通知するようにしてもよい。そして、売上管理システム１０は、クーポンの適用の確認がされた旨を受け付けた場合に、上述のＳ１０９に示す処理以降の処理を実行するようにしてもよい。
【００５５】
また、上述の処理例において、Ｓ１０３に示す処理において、売上明細ページ５４を示すデータに関連付けて、請求予定金額の修正を促す旨のポップアップ指示をユーザＡのユーザ端末１６に送信するようにしてもよい。そして、ユーザＡのユーザ端末１６は、このデータを受信して、売上明細ページ５４を、ブラウザを介してディスプレイに表示出力するとともに、請求予定金額の修正を促す旨のアラートメッセージをディスプレイにポップアップ表示するようにしてもよい。
【００５６】
また、上述の処理例において、Ｓ１０４に示す処理においてユーザＡのユーザ端末１６からクーポン適用要求を受け付けた後、支払金額修正部４８が、ＯＫボタンが含まれる、クーポン適用確認画面（図示せず）を示すデータをユーザＡのユーザ端末１６に送信するようにしてもよい。そして、ユーザＡのユーザ端末１６がクーポン適用確認画面をディスプレイに表示出力するようにしてもよい。そして、ユーザＡがクーポン適用確認画面のＯＫボタンをクリックすると、ユーザＡのユーザ端末１６が売上管理システム１０にクーポンの適用の確認がされた旨を通知するようにしてもよい。そして、売上管理システム１０は、クーポンの適用の確認がされた旨を受け付けた場合に、上述のＳ１０５〜Ｓ１０８に示す処理（クーポンコードの正否を判定する処理）を省略し、上述のＳ１０９に示す処理以降の処理を直ちに実行するようにしてもよい。この場合、ユーザＡは、クーポンコードを入力することなく、請求金額の減額サービス（本処理例では、ショップＣでの購入金額に対する１０％の値引サービス）を受けることができる。
【００５７】
本処理例に示す処理では、ユーザＡがショップＣでクレジットカードを利用した買い物を行った後に、店舗紹介システム１２のクーポンコード表示ページ２０（図２）にユーザ端末１６からアクセスした上で、売上管理システム１０の売上明細ページ５４（図８）にアクセスすると、売上明細ページ５４にショップＣでの買い物に対応する売上明細に関連付けてクーポン適用ボタン５６が表示されることになる。ここで、ユーザＡがユーザ端末１６からクーポン適用ボタン５６をクリックして、クーポンコードを入力すると、クーポンが適用され、請求金額の減額サービス（本処理例では、ショップＣでの購入金額に対する１０％の値引サービス）を受けることができる。
【００５８】
本実施形態では、クレジットカードを利用した後であっても、ユーザが、クーポンコードが記載されたクーポンコード表示ページ２０からクーポンコードを取得して、売上明細ページ５４にクーポンコードを入力すると、値引サービスを受けることができる。このように、本実施形態では、ユーザによる支払金額の修正の機会が増大する。また、本実施形態では、ユーザが値引サービスを受け損なうおそれが低減される。また、このことによって、ユーザによるクレジットカードの利用頻度の向上や、店舗紹介システム１２へのアクセス頻度の向上や、売上管理システム１０の利用頻度の向上も期待できる。
【００５９】
なお、本発明は上述の実施形態に限定されるものではない。
【００６０】
例えば、クーポンには適用可能期間が設定されていてもよい。具体的には、例えば、店舗紹介システム１２の記憶部が、クーポンの値引率又は値引額の値と、クーポンの適用可能期間を示す適用可能期間データと、を関連付けて記憶していてもよい。そして、店舗紹介システム１２は、アクセス履歴確認部３６からの問い合わせに応じて、値引率又は値引額の値を、適用可能期間データに関連付けて売上管理システム１０に送信してもよい。そして、売上管理システム１０のアクセス履歴確認部３６は、受信した適用可能期間データを、売上明細情報５２に関連付けるようにしてもよい。そして、明細ページ生成部４０は、売上明細ページ５４の出力要求を受け付けた日時が、適用可能期間を示すデータの値が示す期間内である場合に、売上明細ページ５４にクーポン適用ボタン５６を配置するようにしてもよい。
【００６１】
また、例えば、アクセス履歴確認部３６は、売上発生日時より前における、売上発生店舗に対応するクーポンコード表示ページ２０へのアクセス履歴情報２２が確認された場合に、値引データの値として所定の値引率又は値引額を設定するようにしてもよい。こうすれば、ユーザが、クーポンが掲載されたウェブページをせっかく閲覧したのに、そのウェブページを印刷し忘れて店舗を訪れてしまった場合であっても、支払金額を修正する（例えば、値引サービスを受ける）ことができる。
【００６２】
また、支払金額修正部４８が、売上発生店舗に対応するクーポンコード表示ページ２０にユーザがアクセスした時期に基づいて決定される金額だけ、ユーザが今後支払うべき金額を減額修正するようにしてもよい。例えば、アクセス履歴確認部３６は、売上発生店舗に対応するクーポンコード表示ページ２０をユーザが閲覧したことが確認された場合に、売上発生店舗に対応するクーポンコード表示ページ２０へのアクセス履歴情報２２に含まれるアクセス日時情報が示す日時（アクセス日時）に基づいて決定される値引額又は値引率の値を売上明細情報５２に含まれる値引データの値として設定するようにしてもよい。アクセス履歴確認部３６は、例えば、売上発生日時よりもアクセス日時が早く、その差が２日以上であれば１５％、売上発生日時よりもアクセス日時が早く、その差が２日未満であれば１０％、アクセス日時よりも売上発生日時が早く、その差が２日未満であれば５％、アクセス日時よりも売上発生日時が早く、その差が２日以上であれば２％を、売上明細情報５２に含まれる値引データの値として設定するようにしてもよい。そして、支払金額修正部４８が、ユーザにより正しいクーポンコードが入力された際に、値引データの値として設定された値引額又は値引率に応じた金額だけ、ユーザが今後支払うべき金額を減額修正するようにしてもよい。また、以上の説明のように、本実施形態に係る売上管理システム１０では、クーポンコード表示ページ２０にアクセスした時期が遅くなるほど値引額や値引率が小さくなるようにしてもよい。
【００６３】
また、アクセス履歴確認部３６は、例えば、ユーザが所定の行為（例えば、売上発生店舗においてクーポンコード表示ページ２０のハードコピーを提出した、あるいは、売上発生店舗においてクーポンコード表示ページ２０を閲覧したことを売上発生店舗で申告したなど）を行った場合（この場合には常に、売上発生日時より前に、ユーザにより売上発生店舗のクーポンコード表示ページ２０が閲覧されている）には１５％、売上発生日時より前に、ユーザにより売上発生店舗のクーポンコード表示ページ２０が閲覧され、かつ、ユーザが上述の所定の行為を行わなかった場合には１０％、売上発生日時から売上金額が「仮確定状態」として扱われるまでの期間にユーザにより売上発生店舗のクーポンコード表示ページ２０が閲覧された場合には５％、売上金額が「仮確定状態」として扱われている期間にユーザにより売上発生店舗のクーポンコード表示ページ２０がユーザにより閲覧された場合には２％を、売上明細情報５２に含まれる値引データの値として設定するようにしてもよい。そして、支払金額修正部４８が、ユーザにより正しいクーポンコードが入力された際に、値引データの値として設定された値引額又は値引率に応じた金額だけ、ユーザが今後支払うべき金額を減額修正するようにしてもよい。このように、本実施形態に係る売上管理システム１０では、ユーザが所定の行為を行った場合に比較して、ユーザが所定の行為を行わなかった場合の値引額や値引率が小さくなるようにしてもよい。これにより、例えば、クーポン適用の必須条件たる所定の行為を行わなかったユーザを、一定の限度で事後的に救済することができる。
【００６４】
また、例えば、ユーザがクレジットカードを利用した商品やサービスの種類、利用した日時、利用した店舗などによって、互いに異なる値引率又は値引額が設定されていてもよい。すなわち、支払金額修正部４８が、ユーザがクレジットカードを利用した商品やサービスの種類、利用した期間、又は、利用した店舗、などに基づいて特定される値引率や値引額に応じた金額を、ユーザが今後支払うべき金額から減額修正するようにしてもよい。
【００６５】
また、例えば、支払金額修正部４８は、個別の売上明細情報５２に対する減額修正ではなく、売上明細情報５２に基づいて特定される、当月請求額の総額に対する、所定の値引率や値引額に基づく減額修正を実行するようにしてもよい。
【００６６】
また、例えば、明細ページ生成部４０は、売上明細ページ５４内に、クーポン適用による減額後の当月の請求予定金額を配置するようにしてもよい。また、例えば、明細ページ生成部４０は、売上明細ページ５４内に、クーポン適用により減額される金額を配置するようにしてもよい。
【００６７】
また、例えば、クーポンコードが、ユーザがクレジットカードを利用した実在店舗においてのみ入手可能な情報に対応するデータであっても構わない。より具体的には、例えば、実在店舗において店員がユーザにクーポンコードを教示するようにしてもよい。また、例えば、実在店舗内にクーポンコードが記載されたポスター等が掲示されていてもよい。その他、クレジットカード利用後に、売上管理システム１０がユーザＡのユーザ端末１６に電子メール形式でクーポンコードを送信するようにしてもよい。
【００６８】
また、例えば、アクセス履歴確認部３６は、売上発生店舗に対応するクーポンコード表示ページ２０へのアクセス履歴情報２２の有無に関わらず、当該店舗に対応する売上に適用可能なクーポンの値引率又は値引額をクーポン値引データの値として設定するようにしてもよい。こうすれば、ユーザＡによるクーポンコード表示ページ２０へのアクセス履歴が確認できない場合（例えば、ユーザＡがクーポンコード表示ページ２０を閲覧していない場合、そもそもクーポンコード表示ページ２０が用意されていない場合など）にも、クーポンコードが正しい限りにおいて、請求金額の減額サービス（本処理例では、ショップＣでの購入金額に対する１０％の値引サービス）を提供することができる。
【００６９】
また、売上管理システム１０、店舗紹介システム１２、店舗端末１４、及び、ユーザ端末１６の役割分担は上述の実施形態には限定されない。また、上記の具体的な数値や文字列や図面中の具体的な数値や文字列は例示であり、これらの数値や文字列には限定されない。
【図１】
2012002485.tif 000003
【図２】
2012002485.tif 000004
【図３】
2012002485.tif 000005
【図４】
2012002485.tif 000006
【図５】
2012002485.tif 000007
【図６】
2012002485.tif 000008
【図７】
2012002485.tif 000009
【図８】
2012002485.tif 000010
【図９】
2012002485.tif 000011
【図１０】
2012002485.tif 000012
【図１１】
2012002485.tif 000013
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
ユーザのクレジットカードの利用による売上を示す売上明細情報を記憶する売上明細情報記憶手段と、
ユーザ端末から受け付けるデータに基づいて、ユーザを特定するユーザ特定手段と、
所定のサイトへのアクセス履歴を記憶するアクセス履歴記憶手段に前記ユーザ特定手段により特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正手段と、
を含むことを特徴とする売上管理システム。
【請求項２】
前記支払金額修正手段は、前記ユーザ特定手段により特定されるユーザによる前記所定のサイトへのアクセス履歴が前記アクセス履歴記憶手段に記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、前記ユーザ端末から売上明細ページの出力要求を受け付ける、という条件を満足する場合において、前記ユーザ端末から支払金額の修正要求を受け付けた際に、前記売上明細情報における当該ユーザが今後支払うべき金額を修正する、
ことを特徴とする請求項１に記載の売上管理システム。
【請求項３】
前記支払金額修正手段は、前記所定のサイトへのアクセス時期が前記指定条件を満足する売上の発生時点より後である場合に、前記売上明細情報における当該ユーザが今後支払うべき金額を修正する、
ことを特徴とする請求項１又は２に記載の売上管理システム。
【請求項４】
前記支払金額修正手段は、前記所定のサイトへのアクセス時期が前記指定条件を満足する売上の発生時点より前である場合に、前記売上明細情報における当該ユーザが今後支払うべき金額を修正する、
ことを特徴とする請求項１から３のいずれか一項に記載の売上管理システム。
【請求項５】
前記支払金額修正手段は、前記ユーザが前記所定のサイトにアクセスした時期に基づいて決定される金額だけ前記売上明細情報における当該ユーザが今後支払うべき金額を修正する、
ことを特徴とする請求項３又は４に記載の売上管理システム。
【請求項６】
今後支払うべき金額の修正額は、前記ユーザが前記所定のサイトにアクセスした時期が遅くなるほど小さくなる、
ことを特徴とする請求項５に記載の売上管理システム。
【請求項７】
前記所定のサイトが値引率、又は、値引額に関連付けられており、
前記支払金額修正手段は、前記ユーザ特定手段により特定されるユーザによるアクセス履歴が記憶されていると判定される所定のサイトに関連付けられている値引率、又は、値引額に応じて、当該ユーザが今後支払うべき金額を減額修正する、
ことを特徴とする請求項１から６のいずれか一項に記載の売上管理システム。
【請求項８】
ユーザのクレジットカードの利用による売上を示す売上明細情報を売上明細情報記憶手段に記憶させるステップと、
ユーザ端末から受け付けるデータに基づいて、ユーザを特定するユーザ特定ステップと、
所定のサイトへのアクセス履歴を記憶するアクセス履歴記憶手段に前記ユーザ特定ステップにより特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正ステップと、
を含むことを特徴とする売上管理方法。
【請求項９】
ユーザのクレジットカードの利用による売上を示す売上明細情報を売上明細情報記憶手段に記憶させる手段、
ユーザ端末から受け付けるデータに基づいて、ユーザを特定するユーザ特定手段、
所定のサイトへのアクセス履歴を記憶するアクセス履歴記憶手段に前記ユーザ特定手段により特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正手段、
としてコンピュータを機能させることを特徴とするプログラム。
【請求項１０】
ユーザのクレジットカードの利用による売上を示す売上明細情報を売上明細情報記憶手段に記憶させる手段、
ユーザ端末から受け付けるデータに基づいて、ユーザを特定するユーザ特定手段、
所定のサイトへのアクセス履歴を記憶するアクセス履歴記憶手段に前記ユーザ特定手段により特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正手段、
としてコンピュータを機能させることを特徴とするプログラムを記録した記録媒体。
【手続補正２】
【補正対象書類名】明細書
【補正対象項目名】０００２
【補正方法】変更
【補正の内容】
【０００２】
［０００６］
しかしながら、従来技術では、クーポンが掲載されたウェブページが配置されているサイト等の所定のサイトにユーザがアクセスした履歴があり、かつ、当該所定のサイトにおいて指定される条件を満足する売上が存在しても、ユーザが今後支払うべき金額が減額されるなどといった、ユーザが今後支払うべき金額の修正が行われることはなかった。
［０００７］
本発明は、上記課題に鑑みてなされたものであって、所定のサイトにユーザがアクセスした履歴があり、かつ、所定のサイトにおいて指定される条件を満足する売上が存在し、かつ、当該ユーザから当該ユーザが今後支払うべき金額が記載された売上明細ページの送信要求を受け付ける、という条件を満足するだけで、ユーザが今後支払うべき金額が修正されるようにすることを目的とする。
課題を解決するための手段
［０００８］
上記課題を解決するために、本発明に係る売上管理システムは、ユーザのクレジットカードの利用による売上を示す売上明細情報を記憶する売上明細情報記憶手段と、ユーザ端末から受け付けるデータに基づいて、ユーザを特定するユーザ特定手段と、所定のサイトへのアクセス履歴を記憶するアクセス履歴記憶手段に前記ユーザ特定手段により特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正手段と、を含むことを特徴とする。
［０００９］
また、本発明に係る売上管理方法は、ユーザのクレジットカードの利用による売上を示す売上明細情報を売上明細情報記憶手段に記憶させるステップと、ユーザ端末から受け付けるデータに基づいて、ユーザを特定するユーザ特定ステップと、
【手続補正３】
【補正対象書類名】明細書
【補正対象項目名】０００３
【補正方法】変更
【補正の内容】
【０００３】
所定のサイトへのアクセス履歴を記憶するアクセス履歴記憶手段に前記ユーザ特定ステップにより特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正ステップと、を含むことを特徴とする。
［００１０］
また、本発明に係るプログラムは、ユーザのクレジットカードの利用による売上を示す売上明細情報を売上明細情報記憶手段に記憶させる手段、ユーザ端末から受け付けるデータに基づいて、ユーザを特定するユーザ特定手段、所定のサイトへのアクセス履歴を記憶するアクセス履歴記憶手段に前記ユーザ特定手段により特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正手段、としてコンピュータを機能させることを特徴とする。
［００１１］
また、本発明に係る記録媒体は、ユーザのクレジットカードの利用による売上を示す売上明細情報を売上明細情報記憶手段に記憶させる手段、ユーザ端末から受け付けるデータに基づいて、ユーザを特定するユーザ特定手段、所定のサイトへのアクセス履歴を記憶するアクセス履歴記憶手段に前記ユーザ特定手段により特定されるユーザによる前記所定のサイトへのアクセス履歴が記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、当該ユーザのユーザ端末から売上明細ページの出力要求を受け付ける、という条件を満足する場合に、前記売上明細情報における当該ユーザが今後支払うべき金額を修正する支払金額修正手段、としてコンピュータを機能させることを特徴とするプログラムを記録したものである。
【手続補正４】
【補正対象書類名】明細書
【補正対象項目名】０００４
【補正方法】変更
【補正の内容】
【０００４】
［００１２］
本発明の一態様では、前記支払金額修正手段は、前記ユーザ特定手段により特定されるユーザによる前記所定のサイトへのアクセス履歴が前記アクセス履歴記憶手段に記憶されている、かつ、前記所定のサイトにおいて指定される指定条件を満足する当該ユーザによる売上が前記売上明細情報記憶手段に記憶されている、かつ、前記所定のサイトにおいて指定される指定条件を満足する売上の発生後に、前記ユーザ端末から売上明細ページの出力要求を受け付ける、という条件を満足する場合において、前記ユーザ端末から支払金額の修正要求を受け付けた際に、前記売上明細情報における当該ユーザが今後支払うべき金額を修正することを特徴とする。
［００１３］
また、本発明の一態様では、前記支払金額修正手段は、前記所定のサイトへのアクセス時期が前記指定条件を満足する売上の発生時点より後である場合に、前記売上明細情報における当該ユーザが今後支払うべき金額を修正する、ことを特徴とする。
［００１４］
また、本発明の一態様では、前記支払金額修正手段は、前記所定のサイトへのアクセス時期が前記指定条件を満足する売上の発生時点より前である場合に、前記売上明細情報における当該ユーザが今後支払うべき金額を修正することを特徴とする。
［００１５］
また、本発明の一態様では、前記支払金額修正手段は、前記ユーザが前記所定のサイトにアクセスした時期に基づいて決定される金額だけ前記売上明細情報における当該ユーザが今後支払うべき金額を修正することを特徴とする。
［００１６］
また、本発明の一態様では、今後支払うべき金額の修正額は、前記ユーザが前記所定のサイトにアクセスした時期が遅くなるほど小さくなることを特徴とする。
［００１７］
また、本発明の一態様では、前記所定のサイトが値引率、又は、値引額に関連付けられており、前記支払金額修正手段は、前記ユーザ特定手段により特定されるユーザによるアクセス履歴が記憶されていると判定される所定のサイトに関連付けられている値引率、又は、値引額に応じて、当該ユーザが今後支払うべき金額を減額修正することを特徴とする。
発明の効果
［００１８］
本発明では、クレジットカードを利用したユーザが所定のサイトへアクセ
【手続補正５】
【補正対象書類名】明細書
【補正対象項目名】０００５
【補正方法】変更
【補正の内容】
【０００５】
スした履歴があり、かつ、所定のサイトにおいて指定される指定条件を満足する売上が存在し、かつ、当該ユーザから当該ユーザが今後支払うべき金額が記載された売上明細ページの送信要求を受け付ける、という条件を満足する場合に、当該ユーザが今後支払うべき金額が修正される。その結果、売上明細ページを提供する売上管理システムの利用頻度の向上が期待される。
図面の簡単な説明
［００１９］
［図１］本発明の一実施形態に係るコンピュータネットワークの全体構成図である。
［図２］クーポンコード表示ページの一例を示す図である。
［図３］アクセス履歴情報の一例を示す図である。
［図４］本実施形態に係る売上管理システムで実現される機能の一例を示す機能ブロック図である。
［図５］ユーザ管理データの一例を示す図である。
［図６］売上明細情報の一例を示す図である。
［図７］本実施形態に係る売上管理システムで行われる売上明細情報修正処理の流れの一例を示すフロー図である。
［図８］売上明細ページの一例を示す図である。
［図９］クーポンコード入力ページの一例を示す図である。
［図１０］修正後の売上明細情報の一例を示す図である。
［図１１］修正後の売上明細ページの一例を示す図である。
発明を実施するための形態
［００２０］
以下、本発明の一実施形態について図面に基づき詳細に説明する。
［００２１］
図１は、本発明の一実施形態に係るコンピュータネットワークの全体構成図である。同図に示すように、インターネットなどのコンピュータネットワーク１８には、いずれもコンピュータを中心に構成された売上管理システム１０、店舗紹介システム１２、店舗端末１４（１４−１〜１４−ｍ）、ユーザ端末１６（１６−１〜１６−ｎ）、が接続されている。そして、売上管理システム１０、店舗紹介システム１２、店舗端末１４、ユーザ端末１６、は互いに通信可能になっている。
［００２２］
売上管理システム１０は、例えば、クレジットカードを利用するユーザの
【国際調査報告】
2012002485.tif 000014
2012002485.tif 000015